(57)【特許請求の範囲】
【請求項１】
Ｈ形鋼のウェブ片面を走行面とする桁フレームと、該桁フレームの走行面の裏側に、長手方向に沿って複数本固着される補助フレームと、を備え、走行面に解体重機を走行せしめる桁式サポート装置において、
前記補助フレームは、前記桁フレームの長手方向に沿った角パイプ材にて構成され、前記補助フレームの下面に沿って配設され、前記桁フレームと前記補助フレームとを固定する補強板と、前記補助フレームの長手両端部に固定する端部補強板とにより、前記補助フレームが前記桁フレームの走行面の裏側に一体化するように固着され、
前記桁フレームのフランジの外側に重合する掴み補強板を形成し、該掴み補強板を前記桁フレームの長手方向に沿った複数個所に固定したことを特徴とする桁式サポート装置。
【請求項２】
前記桁フレームを構成するＨ形鋼のフランジ長手端部に、上層階に係止せしめる係止部を形成すると共に、前記掴み補強板を該係止部の形状に合わせて形成して前記係止部の外側に固着し、前記係止部と前記掴み補強板との重合部の外側にストッパーを揺動自在に設けた請求項１記載の桁式サポート装置。
【請求項３】
前記ストッパーは、前記桁フレームのフランジ端部と前記掴み補強板とを貫通する固定ピンにて揺動自在に連結され、被係止部材の上面に載置する上面部と、被係止部材の側面側に係止する側面部とを備えた請求項２記載の桁式サポート装置。
【発明の詳細な説明】
【技術分野】
【０００１】
本発明は、パワーショベルなどの解体重機を使用してコンクリート造等の建物を解体する際に、梁の上に架け渡した桁式サポート装置で解体重機の重量を分散させながら建物を解体する際に使用する桁式サポート装置に関するものである。
【背景技術】
【０００２】
当発明者は、先に、機解体重機の走行が可能な桁式サポート装置を使用することで、建物の周囲にクレーンを使用するスペースがない場合でも屋上から解体工事を行うことが可能になる桁式サポート装置を使用した解体方法及び桁式サポート装置を提案している（特許文献１）。
【０００３】
この桁式サポート装置を使用した解体方法は、図１に示すごとく、最下層に配置した解体重機Ｓにて、上層階のスラブＱに解体重機Ｓ移動用の移動開口部Ｒを形成する。そして、この移動開口部Ｒの上面に桁式サポート装置１００を下層階から斜めに架け渡す。次に、この桁式サポート装置１００を渡って解体重機Ｓを移動開口部Ｒから上層階に移動し、上層階のスラブＱに到達した解体重機Ｓは、梁Ｐ相互間に架け渡した桁式サポート装置１００を介して自由に移動することができるようになるというものである。
【０００４】
従来の桁式サポート装置１００は、図７に示すごとく、Ｈ形鋼のウェブ片面を走行面とする桁フレーム１０と、該桁フレーム１０の裏側に複数本固着されるＨ形鋼の補助フレーム２００と、該補助フレーム２００の長手両端部に固定するタイロッド棒３０と、を備えたものである。
【０００５】
この桁式サポート装置により、建物の梁Ｐの上相互間に桁式サポート装置１００を架け渡し、この桁式サポート装置１００上で解体重機Ｓを走行させて解体重機Ｓを屋上まで移動させる解体方法が実現した。
【先行技術文献】
【特許文献】
【０００６】
【特許文献１】特許第５６９４４６８号公報
【発明の概要】
【発明が解決しようとする課題】
【０００７】
従来の桁式サポート装置では、大型の解体重機の走行を可能にするため、Ｈ形鋼を多用しているので、桁式サポート装置全体の重量が極めて重くなっていた。そのため、小型の解体重機では桁式サポート装置の搬送が困難になるので、解体工事で小型の解体重機を使用することはできなかった。
【０００８】
一方、桁式サポート装置を軽量化すると、解体重機を支える強度が低下すると共に、解体重機の走行時に課題が生じることが判った。すなわち、軽量の桁式サポート装置を解体重機が走行すると、走行時の振動で軽量の桁式サポート装置が揺れることになる。そのため、この振動が大きくなると解体重機の走行が不安定になることが判った。しかも、走行時の振動が桁式サポート装置端部の梁に係止している部分に伝わると、桁式サポート装置が梁から脱落するおそれもあった。
【０００９】
そこで、本発明は上述の課題を解消すべく創出されたもので、桁式サポート装置を軽量化することで、小型の解体重機による使用が可能になり、しかも、走行時の振動を抑止して解体重機の走行を安定させると共に、梁に係止している部分の脱落を防止することができる桁式サポート装置の提供を目的とするものである。
【課題を解決するための手段】
【００１０】
上述の目的を達成すべく本発明における第１の手段は、Ｈ形鋼のウェブ片面を走行面とする桁フレーム１０と、該桁フレーム１０の走行面の裏側に、長手方向に沿って複数本固着される補助フレーム２０と、を備え、走行面に解体重機Ｓを走行せしめる桁式サポート装置において、補助フレーム２０は、桁フレーム１０の長手方向に沿った角パイプ材にて構成され、該補助フレーム２０の下面に沿って配設され、桁フレーム１０と補助フレーム２０とを固定する補強板３０と、補助フレーム２０の長手両端部に固定する端部補強板４０とにより、補助フレーム２０が桁フレーム１０の走行面の裏側に一体化するように固着され、桁フレーム１０のフランジの外側に重合する掴み補強板５０を形成し、該掴み補強板５０を桁フレーム１０の長手方向に沿った複数個所に固定したものである。
【００１１】
第２の手段は、前記桁フレーム１０を構成するＨ形鋼のフランジ長手端部に、上層階に係止せしめる係止部１１を形成すると共に、前記掴み補強板５０を該係止部１１の形状に合わせて形成して係止部１１の外側に固着し、係止部１１と掴み補強板５０との重合部の外側にストッパー１２を揺動自在に設けたものである。
【００１２】
第３の手段の前記ストッパー１２は、前記桁フレーム１０のフランジ１０Ａ端部と前記掴み補強板５０とを貫通する固定ピン１３にて揺動自在に連結され、被係止部材の上面に載置する上面部１２Ａと、被係止部材の側面側に係止する側面部１２Ｂとを備えたものである。
【発明の効果】
【００１３】
本発明の請求項１によると、補助フレーム２０は、桁フレーム１０の長手方向に沿った角パイプ材にて構成され、該補助フレーム２０の下面に沿って配設され、桁フレーム１０と補助フレーム２０とを固定する補強板３０と、補助フレーム２０の長手両端部に固定する端部補強板４０とにより、補助フレーム２０が桁フレーム１０の走行面の裏側に一体化するように固着されたことにより、桁式サポート装置の重量を軽量化して小型の解体重機による運搬を可能にした。
【００１４】
しかも、桁フレーム１０のフランジの外側に重合する掴み補強板５０を形成し、該掴み補強板５０を桁フレーム１０の長手方向に沿った複数個所に固定した構成により、走行時の振動を抑止することができる。この結果、解体重機の走行を安定させることに成功した。
【００１５】
請求項２のごとく、桁フレーム１０を構成するＨ形鋼のフランジ長手端部に、上層階に係止せしめる係止部１１を形成し、係止部１１と掴み補強板５０との重合部の外側にストッパー１２を揺動自在に設けているので、解体重機Ｓの走行に伴い桁フレーム１０が揺れたとしても、ストッパー１２を梁Ｐ等に係止させることで、係止部１１の脱落を防止することができる。
【００１６】
しかも、係止部１１と掴み補強板５０との重合部の外側にストッパー１２を揺動自在に設けているので、解体重機Ｓが桁フレーム１０上を走行する際に、ストッパー１２が解体重機Ｓの妨げにならずに済む。また、掴み補強板５０が係止部１１とストッパー１２との連結強度を高める効果もある。
【００１７】
請求項３のように、前記ストッパー１２は、前記桁フレーム１０のフランジ１０Ａ端部と前記掴み補強板５０とを貫通する固定ピン１３にて揺動自在に連結され、被係止部材の上面に載置する上面部１２Ａと、被係止部材の側面側に係止する側面部１２Ｂとを備えているので、ストッパー１２は梁Ｐ等の上面から側面に掛けて確実に係止される。
【００１８】
しかも、このストッパー１２は、固定ピン１３を介して桁フレーム１０のフランジ１０Ａ端部に揺動自在に連結されているので、桁フレーム１０上を走行する解体重機Ｓの振動が桁フレーム１０端部に伝わっても、固定ピン１３で減衰するのでストッパー１２の振動が少なくなる。この結果、桁フレーム１０からの脱落を確実に防止し、解体重機Ｓの走行を安全に行うことができる。
【００１９】
このように、本発明によると桁式サポート装置を軽量化することで小型の解体重機による使用が可能になり、しかも、解体重機の走行を安定させると共に、走行時の振動による脱落を防止することができるなどといった当初の目的を達成した。
【図面の簡単な説明】
【００２０】
【図１】本発明装置を使用して解体重機が移動する工程を示す概略側面図である。
【図２】本発明装置の一実施例を示す分解斜視図である。
【図３】本発明装置の桁フレームを示す横断面図である。
【図４】本発明装置の桁フレームの係止部を示す要部側断面図である。
【図５】本発明装置のストッパーを示す分解斜視図である。
【図６】本発明装置のストッパーの使用状態を示す側面図である。
【図７】従来の桁式サポート装置を示す分解斜視図である。
【発明を実施するための形態】
【００２１】
以下、本発明の実施例を説明する。本発明装置の基本構成は、Ｈ形鋼のウェブ片面を走行面とする桁式サポート装置１００である。そして、例えば上層階のスラブＱに解体重機Ｓ移動用の移動開口部Ｒを形成し、上層階の梁Ｐに桁式サポート装置１００を下層階から斜めに架け渡し、この桁式サポート装置１００に解体重機Ｓを走行させ、最上階まで移動した後、桁式サポート装置１００上の解体重機Ｓで解体工事を行う（図１参照）。
【００２２】
桁式サポート装置１００の基本構成は、桁フレーム１０、補助フレーム２０、補強板３０、端部補強板４０、掴み補強板５０を備えるものである（図２参照）。
【００２３】
桁フレーム１０はＨ形鋼を使用するもので、Ｈ形鋼のウェブ片面を解体重機Ｓの走行面としており、梁Ｐの上に架け渡した一対の桁フレーム１０上に解体重機Ｓを載置するものである。この走行面には、滑り止めとして多数の棒鋼１４を溶接してあり、解体重機Ｓの移動を確実にしている（図３参照）。更に、この桁フレーム１０を補強するために、補助フレーム２０、補強板３０、端部補強板４０、掴み補強板５０にて、桁フレーム１０の支持強度を高めている。
【００２４】
補助フレーム２０は、桁フレーム１０の長手方向に沿った角パイプ材にて構成される（図２参照）。図示の補助フレーム２０は、桁フレーム１０のフランジ１０Ａの下面側の幅と同じ幅の角パイプ材を使用している（図３参照）。例えば、長さ6500mm、フランジ幅250mmのＨ型鋼を桁フレーム１０に使用した場合、補助フレーム２０の角材は、長さ5500mm、幅120mm×120mm、厚み9.5mmの角材を、桁フレーム１０の走行面の裏側に２本、等間隔で配置しているが、補助フレーム２０のサイズや数、配置位置等は任意に変更できる。
【００２５】
補強板３０は、補助フレーム２０の下面に沿って配設される板状の部材である（図３参照）。そして、この補強板３０と補助フレーム２０の長手両端部を覆う端部補強板４０とで補助フレーム２０を囲み、桁フレーム１０の走行面の裏側に一体化するように固着している（図４参照）例えば、長さ5500mm、幅120mm×120mm、厚み9.5mmの角材を使用した場合、この補強板３０として、長さ5500mm、幅526mm、厚み9.5mmの鋼板を使用する。また、補強板３０のサイズはこの例に限られず、任意に変更できるものである。
【００２６】
掴み補強板５０は、桁フレーム１０のフランジの外側に重合する板状部材である（図２参照）。そして、この掴み補強板５０を桁フレーム１０の長手方向に沿った複数個所に固定する。図示例では、長手両端部と中央部とに夫々溶接して固着することで、振れ止め効果を得ている（図６参照）。尚、掴み補強板５０の枚数や位置等は任意に変更することができる。
【００２７】
桁フレーム１０を上層階のスラブＱに開口した移動開口部Ｒや梁Ｐに係止するために、桁フレーム１０の一端部に係止部１１を設けている（図４参照）。この係止部１１は、桁フレーム１０を構成するＨ形鋼のフランジ１０Ａに形成した部位で、略Ｌ字形状に切り欠き形成している。図示例では、この係止部１１に隣接する位置に傾斜板１５を設けている。解体重機Ｓはこの傾斜板１５から上層階に移動する。
【００２８】
桁フレーム１０の長手端部に固着する掴み補強板５０は、この係止部１１に固着する（図５参照）。すなわち、このワーク移動具５０は、予め係止部１１の形状に合わせたＬ字形の切り欠きを形成したもので、係止部１１の外側に固着したものである。
【００２９】
更に、桁フレーム１０のフランジ１０Ａ端部と掴み補強板５０とにストッパー１２を揺動自在に連結している（図５参照）。ストッパー１２は、梁Ｐ等に係止せしめる連結部材であり、梁Ｐ等の被係止部材の上面に載置する上面部１２Ａと、側面側に係止する側面部１２Ｂとを備えている。そして、桁フレーム１０のフランジ１０Ａ端部と掴み補強板５０とを貫通する固定ピン１３にて揺動自在に連結されている。
【００３０】
したがって、梁Ｐ等に桁フレーム１０を係止する場合、係止部１１が梁Ｐの上面に係止すると共に、ストッパー１２が梁Ｐの上面から側面にかけて係止する状態になる（図６参照）。
【００３１】
尚、桁フレーム１０やストッパー１２、あるいは補助フレーム２０、補強板３０、端部補強板４０、掴み補強板５０等の構成は図示例に限定されるものではなく、本発明の要旨を変更する構成でなければ他の形状に変更することも可能である。
【符号の説明】
【００３２】
Ｐ  梁
Ｑ  スラブ
Ｒ  移動開口部
Ｓ  解体重機
１０  桁フレーム
１０Ａ  フランジ
１１  係止部
１１Ａ  上面部
１１Ｂ  側面部
１２  ストッパー
１２Ａ  上面部
１２Ｂ  側面部
１３  固定ピン
１４  棒鋼
１５  傾斜板
２０  補助フレーム
３０  補強板
４０  端部補強板
５０  掴み補強板
１００  桁式サポート装置
２００  補助フレーム
３００  タイロッド棒
４００  補強プレート
【要約】
【課題】小型の解体重機による使用が可能になり、しかも、走行時の振動を抑止して脱落を防止することができる桁式サポート装置を提供する。
【解決手段】Ｈ形鋼のウェブ片面を走行面とする桁フレーム１０を設ける。該桁フレーム１０の走行面の裏側に補助フレーム２０を設ける。桁フレーム１０の長手方向に沿った角パイプ材で補助フレーム２０を構成する。補助フレーム２０下面に配置する補強板３０を設ける。補助フレーム２０の長手両端部覆う端部補強板４０を設ける。補強板３０と端部補強板４０とで、桁フレーム１０と補助フレーム２０とを固着する。桁フレーム１０の外側に重合する掴み補強板５０を形成する。掴み補強板５０を桁フレーム１０の長手方向に沿った複数個所に固定する。
【選択図】  図２【図１】
0006830711.tif 000002
【図２】
0006830711.tif 000003
【図３】
0006830711.tif 000004
【図４】
0006830711.tif 000005
【図５】
0006830711.tif 000006
【図６】
0006830711.tif 000007
【図７】
0006830711.tif 000008